(57)【特許請求の範囲】
【請求項１】
島内に立設した研磨揚送装置により島下段から島上段へ揚送されたパチンコ球を島中段に列設された各遊技機にそれぞれ補給するよう構成した遊技機島において、
前記島上段でパチンコ球を多重に積層させた状態で貯留可能な深さに形成されたタンク様給配樋を備え、該タンク様給配樋を、前記研磨揚送装置の上端側から供給されたパチンコ球をパチンコ機列上に沿って貯留しつつ、島端側まで流下させるように傾斜させて配設し、
前記タンク様給配樋の少くとも上流部（前記研磨揚送装置側）と下流部にパチンコ球の貯流量を検知して信号を出力する球検知手段を設け、該球検知手段の配置は、上流部では低い位置に、略中間部は中間位置、下流部は高い位置に取付けられ、それぞれの取り付け位置関係は略水平であって、
前記球検知手段からの信号に応じて、タンク様給配樋内の要所におけるパチンコ球が所定量より多い時は前記研磨揚送装置の駆動を停止させる一方、パチンコ球が所定量より減少したら研磨揚送装置を駆動させるように制御すべく構成したことを特徴とする遊技機島。
【発明の詳細な説明】
【０００１】
【発明の属する技術分野】
本発明は、島内に立設した研磨揚送装置により島下段から島上段へ揚送されたパチンコ球を島中段に列設された各遊技機にそれぞれ補給するよう構成した遊技機島に関する。ここで遊技機とはパチンコ球を遊技媒体とする各種遊技機であり、主にパチンコ機を指す。
【０００２】
【従来の技術】
従来の遊技機島では、各パチンコ機から排出されたり、島途中に立設された研磨揚送装置の上端側からオーバーフローしたパチンコ球は、島下段内の貯留タンクに集められて貯留され、ほぼ常時駆動している研磨揚送装置により絶えず島上段側へと揚送されていた。
【０００３】
島上段には研磨揚送装置で揚送された研磨済の球を一旦受入れて貯留する上部タンクが配設されており、この上部タンクから左右に延びるように島長手方向に斜設された給配樋上を球は流下して各パチンコ機へ補給されていた。給配樋は上部タンク内の球を順次流下させるだけの樋であり、球が積み重ならず単に一層に広がる状態で流下すべく底浅に形成されていた。
【０００４】
上部タンクと違って給配樋自体には球を貯留する機能はなく、かかる給配樋上にはパチンコ機へ補給する球が常に流れているように、前記上部タンク内には常時駆動される研磨揚送装置により絶えず球が供給されていた。給配樋上を流下した余分な球はオーバーフローして島下段内へ落下し、再び研磨揚送装置により島上段へと揚送される。
【０００５】
【発明が解決しようとする課題】
しかしながら、前述したような従来の遊技機島では、球を貯留する機能のない底浅の給配樋に絶えず球を流下させるために、研磨揚送装置をほぼ常時駆動させておく必要があり、遊技店の営業上のコストアップの要因になるという問題点があった。
【０００６】
また、給配樋は島全長に亘るよう配設されるにも拘らず、球を余分に貯留できないので、例えば同じパチンコ機列中で数台のパチンコ機が同時期にフィーバーとなり、賞球の排出が短時間に集中したような場合には、各パチンコ機への球の供給が間に合わなくなるおそれがあった。
【０００７】
更に、島内総てのパチンコ機へ供給するパチンコ球を上部タンクで一括集中して貯留するために、時として上部タンク内で給配樋になかなか導かれないような球がいわゆる死球となって長時間残留し、かかる死球が錆付いたり腐食したりするというおそれもあった。
【０００８】
本発明は、以上のような従来技術の有する問題点に着目してなされたもので、研磨揚送装置を常時駆動させなくてもよくその分のコスト低減が可能であり、また同時期に複数のパチンコ機がフィーバーとなっても球を迅速かつ安定して供給することができ、また島上段における球循環経路の一部のみに球が集中するのを防ぐことで球が錆びたり腐食するのを防止することができる遊技機島を提供することを目的としている。
【０００９】
【課題を解決するための手段】
前述した目的を達成するための本発明の要旨とするところは、以下の項に存する。
【００１０】
１  島内に立設した研磨揚送装置（５０）により島下段（１０Ｃ）から島上段（１０Ａ）へ揚送されたパチンコ球を島中段（１０Ｂ）に列設された各遊技機（１１）にそれぞれ補給するよう構成した遊技機島（１０）において、
前記島上段（１０Ａ）でパチンコ球を多重に積層させた状態で貯留可能な深さに形成されたタンク様給配樋（８０）を備え、該タンク様給配樋（８０）を、前記研磨揚送装置（５０）の上端側から供給されたパチンコ球をパチンコ機列上に沿って貯留しつつ、島端側まで流下させるように傾斜させて配設し、
前記タンク様給配樋（８０）の少くとも上流部（前記研磨揚送装置（５０）側）と下流部にパチンコ球の貯流量を検知して信号を出力する球検知手段（８３）を設け、該球検知手段（８３）の配置は、上流部では低い位置に、略中間部は中間位置、下流部は高い位置に取付けられ、それぞれの取り付け位置関係は略水平であって、
前記球検知手段（８３）からの信号に応じて、タンク様給配樋（８０）内の要所におけるパチンコ球が所定量より多い時は前記研磨揚送装置（５０）の駆動を停止させる一方、パチンコ球が所定量より減少したら研磨揚送装置（５０）を駆動させるように制御すべく構成したことを特徴とする遊技機島（１０）。
【００１２】
次に前述した解決手段に基づく作用を説明する。
前項記載の遊技機島（１０）によれば、研磨揚送装置（５０）により研磨されつつ島上段（１０Ａ）へ揚送されたパチンコ球は、直接タンク様給配樋（８０）内に導入される。タンク様給配樋（８０）は底深であり、導入された球は多重に積層するような状態でそのまま貯留される。タンク様給配樋（８０）内に貯留された球は、樋（８０）の傾斜によりパチンコ機列上に沿って緩やかに島端側まで流下しつつ、真下に並ぶ各パチンコ機（１１）へ適宜供給される。
【００１３】
このようなタンク様給配樋（８０）によれば、多量のパチンコ球を貯留しつつ、各パチンコ機（１１）へ球を常に迅速かつ安定して供給することができる。また、従来の遊技機島の如く島上段の上部タンクのような球循環経路の一か所に球が集中的に貯留されるようなことがなく、球が長時間残留してしまうようなこともない。
【００１５】
しかも、タンク様給配樋（８０）内の要所に設けられた球検知手段（８３）からの信号に応じて、タンク様給配樋（８０）内のパチンコ球が所定量より多い時は、研磨揚送装置（５０）の駆動が停止されるので、タンク様給配樋（８０）内に過度にパチンコ球が供給されることがない。
一方、タンク様給配樋（８０）内の要所におけるパチンコ球が所定量より減少したら研磨揚送装置（５０）が駆動されるので、タンク様給配樋（８０）内に新たにパチンコ球が供給される。それにより、従来の遊技機島（１０）の如く研磨揚送装置（５０）をほぼ常時駆動し続ける必要はなく、常にタンク様給配樋（８０）内では適切なパチンコ球の保有量が保たれる。
【００１６】
更に、タンク様給配樋に配置された球検知手段は、傾斜させたタンク様給配樋に対して略水平に取付けられているので、タンク様給配樋内の球を各パチンコ機へ球を常に迅速かつ安定して供給することができるとともに、上流部の貯留球が少く、下流部の球が多く貯留されるので、重心が低くなり、島の立設状態が極めて安定する。
【００１７】
【発明の実施の形態】
以下、図面に基づき本発明を代表する一の実施の形態を説明する。
図１〜図６は本発明の一の実施の形態を示している。
本実施形態に係る遊技機島１０は、パチンコ機１１の各種関連設備がそれぞれ収納される上段ユニット（島上段）１０Ａと下段ユニット（島下段）１０Ｃの間に、各パチンコ機１１が列をなす中段ユニット（島中段）１０Ｂを配置して構成されている。
【００１８】
図１に示すようにパチンコ機列の中央には、下段ユニット１０Ｃに内設された貯留タンク２３内の球を上段ユニット１０Ａ側へと研磨しながら揚送する研磨揚送装置５０が立設されている。この研磨揚送装置５０は、図５に示すように互いに対接しながら上下に延びるように張設された一対の研磨ベルト５１Ａ，５１Ｂを具備して成る。一方の研磨ベルト５１Ａは複数のプーリー５２の他に駆動プーリー５２ａに掛け渡されて張設されており、駆動モーター５２ｂにより回転駆動するものである。他方の研磨ベルト５１Ｂも複数のプーリー５３に掛け渡されて所定形状に上下に延びるよう張設されている。
【００１９】
一対の研磨ベルト５１Ａ，５１Ｂの下端間にある取込口５５は、下部タンク６５の底部付近に配されている。すなわち、下部タンク６５内に貯留された球は、研磨揚送装置５０の取込口５５より取込まれ、各研磨ベルト５１Ａ，５１Ｂ間に挾持されて研磨されつつ上方へ揚送され、上端にある排出口５６から排出されるように構成されている。また、研磨揚送装置５０の傍らの前後のパチンコ機列中央には、景品球計数機６０が介装されている。景品球計数機６０は遊技客が投入した景品球を内部の計数機やコンピューターで計数し、その結果を表示部に目視可能に表示したり、計数された球数を印刷したレシート、或はリサイクルカードを払い出す機器である。
【００２０】
図２に示すように上段ユニット１０Ａは、島長手方向に延びる略水平な支持基板７１と、該支持基板７１上に所定間隔おきに島長手方向と略直交するよう垂設される複数の仕切板７２と、各仕切板７２間を連結するよう架設される複数のパイプ部材７３とを主要骨組として、その周囲に上面板７４や内側壁７５、それに外壁をなす幕板７６を組付けて構成されている。各パイプ部材７３には、それぞれ長手方向に延びるスリットが形成され、該スリットよりパイプ部材７３内に遊技関連設備の各種信号線が束ねられるように収納されている。
【００２１】
図１及び図２に示すように上段ユニット１０Ａ内には、前記研磨揚送装置５０の排出口５６から排出された研磨済の球を各パチンコ機１１に供給するためのタンク様給配樋８０が配設されている。タンク様給配樋８０は長手方向に延びる底板８１の両端縁に、該底板８１と同程度の幅の側板８２，８２を垂立させて成り、パチンコ球が多重に積層する状態で貯留される深さに形成されている。このタンク様給配樋８０は、前記研磨揚送装置５０の上端にある排出口５６から供給された球をパチンコ機列上に沿って島長手方向に亘って貯留しつつ、島端側まで流下させるように傾設されている。
【００２２】
タンク様給配樋８０は研磨揚送装置５０の上端を間にして、それぞれ遊技機島１０の両側で左右対称になるように延びている。図２に示すように仕切板７２には、タンク様給配樋８０が挿通できる中空部７２ａが形成されており、中空部７２ａの両脇には、この中空部７２ａ内に挿通させたタンク様給配樋８０の途中部位を所望の高さ位置に支持するための樋支持部材７２ｂが架設されている。
【００２３】
タンク様給配樋８０の上流端はそのまま研磨揚送装置５０の排出口５６側に連通接続されている。また、タンク様給配樋８０内の要所にはパチンコ球の貯留量を検知して信号を出力する球検知手段８３が設けられている。球検知手段８３は具体的には、樋８０の上流側の低い位置、略中間部の中間位置、それに下流側の高い位置にそれぞれ取付けられた近接センサ８３Ａ，８３Ｂ，８３Ｃから成る。各近接センサ８３Ａ〜８３Ｃは、その取付位置までパチンコ球が溜るとＯＮとなり、例えばＯＮ状態が２秒以上続くと後述する制御手段７０に信号を出力するように設定されている。
【００２４】
また、タンク様給配樋８０には、各パチンコ機１１に対応した球の供給部材である配給シュート８６が所定間隔おきに取付けられている。各配給シュート８６は伸縮自在な連通管８７を介してパチンコ機１１の背面側上部に設けられた賞球タンク１１ｂに接続されている。タンク様給配樋８０の下流端は落下経路８８を介して貯留タンク２３に連通するが、このタンク様給配樋８０の下流端には、開閉可能で開いた際に球を落下させるシャッター８５が設けられている。シャッター８５は、図３及び図４に示すように、樋８０の下流端に固設される保持ブラケット８５ａにより上下方向に摺動（開閉）可能に保持されている。
【００２５】
シャッター８５の下側には遊び溝８５ｂが穿設され、この遊び溝８５ｂには、ロータリーソレノイド８５ｃの回転板８５ｄの偏心部に突設されたピン部８５ｅが挿通している。更にピン部８５ｅは、保持ブラケット８５ａに穿設された上下方向に円弧状に延びるガイド溝８５ｆにも移動可能に挿通している。なお、駆動手段はロータリーソレノイド８５ｃに限られるものではなく、例えば、単なるソレノイドやモーター等であってもよい。
【００２６】
また、上段ユニット１０Ａ内には、前記タンク様給配樋８０の他、貨幣識別装置７７や貨幣搬送装置７８等の関連設備も組付けられている。貨幣識別装置７７は、紙幣や硬貨の投入口７９（図１参照）に投入された紙幣や硬貨を磁気・光方式で特定する各種センサの他、ＣＰＵ，ＲＡＭ，ＲＯＭ等を含むマイクロコンピューターを備えている。貨幣搬送装置７８は、前記貨幣識別装置７７から排出された紙幣や硬貨を搬送するために、島長手方向に延びるように張設されるコンベヤベルトを具備して成る。
【００２７】
図６に示すように、前述した各近接センサ８３Ａ〜８３Ｃやシャッター８５（正確にはロータリーソレノイド８５ｃ）は、それぞれ信号線により制御手段７０に接続されている。制御手段７０は各近接センサ８３Ａ〜８３Ｃからの信号に応じて、タンク様給配樋８０内の要所における球が所定量より多い時、すなわち例えば各近接センサ８３Ａ〜８３Ｃが総てＯＮの時に研磨揚送装置５０の駆動を停止させる一方、パチンコ球が所定量より減少した時、すなわち例えば各近接センサ８３Ａ〜８３Ｃの何れかがＯＦＦとなった時に研磨揚送装置５０を駆動させるように制御するための手段である。
【００２８】
制御手段７０は遊技機島１０におけるパチンコ球の補給・回収を集中的に管理するものであり、具体的にはインターフェース、ＣＰＵ、ＲＡＭ、ＲＯＭ等により構成されたマイクロコンピューターから成る。本実施形態に係る制御手段７０は、少なくとも各近接センサ８３Ａ〜８３Ｃからの信号に基づき研磨揚送装置５０の駆動を制御するようにプログラムされているが、更に例えば、各近接センサ８３Ａ〜８３Ｃが総てＯＮの時にシャッター８５を一時的に開いてタンク様給配樋８０内の余分な球を下方へ落下されるように制御すべく設定してもよい。
【００２９】
図１及び図２に示すように、島全体の土台となる下段ユニット１０Ｃは、フロア上に立設される前後の腰部支持板２１，２１と、各腰部支持板２１の上端に略水平に設けられてパチンコ機１１が設置される前後の天板２２，２２とを具備して成る。かかる下段ユニット１０Ｃは合成樹脂等により一体成形されている。下段ユニット１０Ｃには、島中央部に立設された前記研磨揚送装置５０を間にして左右対称に島長手方向にそれぞれ延びる貯留タンク２３，２３が内設されている。
【００３０】
貯留タンク２３は、その一端側（島中央側）に向い下方へ傾斜する底面部２４と、前壁２５、後壁２６、それに両側壁２７，２７とから箱状枠形に形成され、略水平な上面側は大きく開口し、各パチンコ機１１から排出された球を受入れられるようになっている。貯留タンク２３内の球が自然に流下する一端側の前壁２５下端には、前述した研磨揚送装置５０側の下部タンク６５に連通接続する球流出口２５ａが開設されている。
【００３１】
球流出口２５ａには開閉可能な貯留タンク用シャッター４０が設けられている。貯留タンク用シャッター４０の具体的構成は、図３及び図４に示した前記シャッター８５と同一であり、閉じた際に貯留タンク２３内の球が研磨揚送装置５０側に流入するのを阻止する役割を果たすものである。貯留タンク２３の底面部２４は、前述したように一端側に向い下方へ傾斜するように支持脚２４ａで支持されている。なお、貯留タンク２３の具体的構成は、図示した複数に分割されたタンクブロックを長手方向に連結したものに限らず、始めから所定の大きさの一つのタンクとして一体成形してもよい。更に、貯留タンク２３の側壁２７と腰部支持板２１とを予め一体的に形成してもよい。
【００３２】
図２に示すように中段ユニット１０Ｂは、天板２２上に立設され支持基板７１を下から支える中段支持体１６と、中段支持体１６を間にして背中合わせに前後二列に配設される複数のパチンコ機１１とから構成されている。中段支持体１６は所定間隔おきに複数並ぶように立設されており、各中段支持体１６は、それらの間に架設されたパイプ部材１７によって互いに連結されている。また中段支持体１６には、各パチンコ機１１を島奥行方向に動力で移動させる駆動ユニット１８が組込まれている。駆動ユニット１８は上下２機で１組となっており、それぞれパルスモーターと、その回転により島奥行方向に移動してパチンコ機１１の背面側を押引きするスクリュー部材から成る。
【００３３】
パチンコ機１１は、ハンドルの回転操作によってパチンコ球を盤面上に打ち出し、打球の入賞を競い楽しむものである。また、各パチンコ機１１間には球貸機１１Ａが介装されている。この球貸機１１Ａは、前述した貨幣識別装置７７からの信号を受けた際に、相当数の球を計数しつつ払い出す関連機器である。
【００３４】
中段支持体１６を間にした前後の天板２２，２２上には、各パチンコ機１１の下端が所定範囲で前後左右に移動可能に支持される載置レール１２が設けられている。載置レール１２の奥側にはパチンコ機１１下端が島長手方向に移動可能に嵌合する突起１２ａが突設されており、載置レール１２の手前側は球箱台となっている。また、前述した上段ユニット１０Ａの支持基板７１には、各パチンコ機１１の上端に突設した被嵌合レール１１ａが前後方向に回動可能かつ島長手方向にも移動可能に内嵌する吊下レール１４が設けられている。
【００３５】
吊下レール１４は略Ｃ字形断面であり図２の紙面に垂直に延びており、かかる吊下レール１４は、支持基板７１に島奥行方向にスライド可能に装着された上方ブラケット１３に対して、高さ位置を調整できるようねじ軸を介して吊下げられている。更に上方ブラケット１３には、上下に進退可能なねじ状の角度調整部材１５が螺合している。この角度調整部材１５は、各パチンコ機１１上端の前端縁側を適度に押圧することにより、前記被嵌合レール１１ａを回動中心とした各パチンコ機１１の微妙な傾き角度を調整するための部材である。
【００３６】
載置レール１２の下面にはスプリング付きベアリング（図示せず）が取付けられており、かかる載置レール１２は、天板２２上を島長手方向及び島奥行方向に移動できるようになっている。また、スプリングの弾性変形により、載置レール１２上のパチンコ機１１下端は、その傾斜角度に応じて略水平面に対して適宜変位できるように設定されている。なお、前記上段ユニット１０Ａの荷重は、中段支持体１６のみならず前後二列に配設された各パチンコ機１１でも受けるように構成されている。
【００３７】
次に作用を説明する。
各パチンコ機１１から排出されたり、タンク様給配樋８０からオーバーフローした球は、島下段１０Ｃに内設された貯留タンク２３に一旦集められて貯留される。この貯留タンク２３内の球は、タンク一端側にある貯留タンク用シャッター４０の開閉に基づき研磨揚送装置５０側の下部タンク６５へと受け渡される。
【００３８】
下部タンク６５内の球は、必要に応じて図５に示す研磨揚送装置５０の取込口５５から取込まれ、一対の研磨ベルト５１Ａ，５１Ｂ間に挾持されて研磨されつつ上段ユニット１０Ａへ揚送される。図１に示すように、研磨揚送装置５０の上端両側の排出口５６から吐出された球は、そのまま島中央より左右に延びる各タンク様給配樋８０へと受け渡される。
【００３９】
図１及び図２に示すようにタンク様給配樋８０は底深であり、導入された球は多重に積層するような状態でそのまま貯留される。タンク様給配樋８０内に貯留された球は、かかる樋８０の傾斜によりパチンコ機列上に沿って緩やかに島端側まで流下しつつ、真下に並ぶ各パチンコ機１１へ配給シュートや連通管８７を介して適宜供給される。
【００４０】
このようなタンク様給配樋８０によれば、多量のパチンコ球を貯留しつつ、各パチンコ機１１へ球を常に迅速かつ安定して供給することができる。また、従来の遊技機島の如く島上段の上部タンクのような球循環経路の一か所に球が集中的に貯留されるようなことがなく、球が長時間残留してしまうようなこともない。タンク様給配樋８０の上流側、中間部及び下流側にそれぞれ貯留されている球が所定量より多い、すなわち各箇所にある近接センサ８３Ａ〜８３Ｃの高さ位置まで溜ると、各近接センサ８３Ａ〜８３Ｃは継続してＯＮとなり図６に示す制御手段７０に信号を出力する。
【００４１】
この時、制御手段７０は研磨揚送装置５０に駆動停止信号を出力し、研磨揚送装置５０の駆動を停止させる。それにより、タンク様給配樋８０内に過度にパチンコ球が供給されることがなく、また、研磨揚送装置５０を一時的に停止させることで、従来の遊技機島の如く研磨揚送装置５０を常時駆動させなくてもよく、その分のコスト低減が可能となる。
【００４２】
研磨揚送装置５０が停止している状態で、仮に一つのパチンコ機列中で数台のパチンコ機１１が同時期にフィーバーとなり、賞球の排出が短時間に集中したとしても、タンク様給配樋８０内には多量の球が貯留されているので、各パチンコ機１１へ球を常に迅速かつ安定して供給することができる。例えば、タンク様給配樋８０の上流側の丁度下側に位置する数台のパチンコ機１１が同時期にフィーバーとなれば、タンク様給配樋８０の上流側に貯留されていた球が所定量より減少し、当該位置にある近接センサ８３ＡはＯＦＦとなる。
【００４３】
このようにタンク様給配樋８０内に貯留されていた球が局所的に所定量より減少し、少なくとも何れか一つの近接センサ８３Ａ〜８３ＣがＯＦＦとなったら、この信号に基づいた制御手段７０からの指令によって、研磨揚送装置５０は駆動されてタンク様給配樋８０内に新たに研磨済の球が供給される。以上のように、タンク様給配樋８０内に貯留される球が所定量より減少した際に研磨揚送装置５０が駆動するよう制御されるので、常にタンク様給配樋８０内では適切なパチンコ球の貯留量が保たれる。
【００４４】
また、制御手段７０からの指令により、各近接センサ８３Ａ〜８３Ｃが総てＯＮの時に、タンク様給配樋８０の下流端にあるシャッター８５を一時的に開いてタンク様給配樋８０内の余分な球を下方へ落下されるように制御すれば、タンク様給配樋８０内に過剰に球が滞留することがなく、いわゆる死球となるのを防ぐことができる。また、営業時間終了後に前記シャッター８５を開いてタンク様給配樋８０内の球を総て抜けば球が湿気をおびるのを防止することもできる。
【００４５】
更にまた、本実施形態に係る遊技機島１０によれば、図２に示すように、上段ユニット１０Ａと下段ユニット１０Ｃとの間に中段ユニット１０Ｂを配置して成り、上段ユニット１０Ａ及び下段ユニット１０Ｃは、それぞれ独立の構造体として別々に工場等で規格化して量産することができる。
【００４６】
特に上段ユニット１０Ａでは、各仕切板７２の略中央を切り欠いてタンク様給配樋８０が上下に移動可能に挿通する中空部７２ａを形成し、各仕切板７２にタンク様給配樋８０を所望の高さに支持する樋支持部材７２ｂを設けたから、上段ユニット１０Ａ内にタンク様給配樋８０を長手方向に延びるように容易に配設でき、また樋支持部材７２ｂによってタンク様給配樋８０の傾斜角度を容易に適宜調整することが可能となる。
【００４７】
中段ユニット１０Ｂは、後付けするパチンコ機１１を含むため予め総て一体化される構成ではないが、天板２２上に立設され支持基板７１を下から支える複数の中段支持体１６，１６…により、下段ユニット１０Ｃと上段ユニット１０Ａとの間に極めて簡易に、前後二列に並ぶ各パチンコ機１１の取付けスペースを確保することができる。
【００４８】
各中段支持体１６は、あくまで背中合わせに並ぶ前後のパチンコ機１１列間に配されるので、たとえ各パチンコ機１１の横幅や背面側の出っ張り具合等が多少異なっても、従来のフレーム材から成る定形的な枠組の如く、枠組自体がパチンコ機１１の組付け作業に支障を来すおそれはなく、必要な作業スペースも十分確保できる。
【００４９】
更に、パチンコ機１１上端の被嵌合レール１１ａは、吊下レール１４に嵌合した状態でレール長手方向に移動可能であり、パチンコ機１１下端も載置レール１２上を島長手方向に移動させることができる。しかも、上方ブラケット１３は、上段ユニット１０Ａの支持基板７１に対して島奥行方向に一定範囲でスライド可能であり、載置レール１２は天板２２上を島奥行方向に移動できる。
【００５０】
なお、本発明に係る遊技機島の具体的構成は、図示した実施の形態に限定されるものではない。例えば、球検知手段は近接センサに限定されるものではなく、球の接近を検知する磁気センサ等により構成してもよい。
【００５１】
【発明の効果】
本発明に係る遊技機島によれば、島上段にて各パチンコ機へ球を供給するタンク様給配樋は底深で球を多重に積層させた状態で貯留できるので、同じパチンコ機列中で数台のパチンコ機が同時期にフィーバーとなり、賞球の排出が短時間に集中しても、タンク様給配樋に配置された球検知手段は、傾斜させたタンク様給配樋に対して略水平に取付けられているので、タンク様給配樋内の球を各パチンコ機へ球を常に迅速かつ安定して供給することができる。また、従来の遊技機島の如く島上段の上部タンクのような球循環経路の一か所に球が集中するのを防ぐことで、球が長時間滞留して錆びたり腐食するのを防止することができる。
更に、前記したごとく、球検知手段を略水平に取付けているので、上流部の貯留球が少く、下流部の球が多く貯留されるので、重心が低くなり、島の立設状態が極めて安定する。
【００５３】
また、タンク様給配樋内の要所における球貯留量に応じて研磨揚送装置の駆動を制御した場合には、研磨揚送装置からタンク様給配樋内に過度に球が供給されることがないと共に、従来の遊技機島の如く研磨揚送装置を常時駆動させなくてもよく、その分コストを低減することができる。
【図面の簡単な説明】
【図１】本発明の一の実施形態に係る遊技機島を示す正面図であり、島上段及び島下段では内部構造を示している。
【図２】本発明の一の実施形態に係る遊技機島を構成する上段、中段及び下段の各ユニットを分離させた状態を概略的に示す断面図である。
【図３】本発明の一の実施形態に係る遊技機島を構成するシャッターを拡大して示す側面図である。
【図４】本発明の一の実施形態に係る遊技機島を構成するシャッターを拡大して示す正面図である。
【図５】本発明の一の実施形態に係る遊技機島を構成する研磨揚送装置を概略的に示す断面図である。
【図６】本発明の一の実施形態に係る遊技機島に含まれる制御手段を示すブロック図である。
【符号の説明】
１０…遊技機島
１０Ａ…上段ユニット
１０Ｂ…中段ユニット
１０Ｃ…下段ユニット
１１…パチンコ機
５０…研磨揚送装置
８０…タンク様給配樋
８３Ａ，８３Ｂ，８３Ｃ…近接センサ（球検知手段）
８５…シャッター
【図１】
0003973711.tif 000002
【図２】
0003973711.tif 000003
【図３】
0003973711.tif 000004
【図４】
0003973711.tif 000005
【図５】
0003973711.tif 000006
【図６】
0003973711.tif 000007